(57)【要約】  【課題】冷蔵室のドア開閉回数が増加する夏場においても、製氷スピードを確保する冷蔵庫を提供することを目的とする。  【解決手段】第１の冷却器１７で冷蔵室２のみを冷却し、第２の冷却器２０で製氷室４、切替室３及び、冷凍室５とを冷却し、冷却板２４で野菜室６を冷却するようにしたことにより、夏場において冷蔵室２のドア開閉回数が増えて冷蔵室２に暖湿気が流入しても、製氷室４を冷却する第２の冷却器２０には霜が付かずに製氷スピードを確保することができるとともに、野菜室６の保鮮性を高めることができる。【選択図】図２
2006010167.tif 000002
【特許請求の範囲】
【請求項１】
冷蔵庫本体と、前記冷蔵庫本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、前記製氷室及び前記第１の冷凍室と前記第２の冷凍室との間に設けられた野菜類を貯蔵する野菜室と、前記第１の冷凍室及び前記製氷室と前記野菜室とを仕切る仕切り壁と、前記冷蔵室奥面に設置した第１の冷却器と、前記野菜室及び前記製氷室及び前記第１の冷凍室の奥に設置した第２の冷却器と、前記第１の冷凍室から前記仕切り壁を貫通し前記野菜室の天面に設置された冷却板とを備え、前記第１の冷却器で前記冷蔵室を冷却し、前記第２の冷却器で前記製氷室と前記第１の冷凍室と前記第２の冷凍室とを冷却し、前記冷却板で前記野菜室を冷却するようにしたことを特徴とする冷蔵庫。
【請求項２】
冷蔵庫本体と、前記冷蔵庫本体の上部に冷蔵食品等を貯蔵する冷蔵室と、前記冷蔵室の下部に設けられた肉や魚を貯蔵する特定低温室と、前記冷蔵室の下部で前記特定低温室に並列配置された製氷及び氷の貯蔵を行う製氷室と、前記冷蔵庫本体下部に設けられた冷凍室と、前記製氷室及び前記特定低温室と前記冷凍室との間に設けられた野菜類を貯蔵する野菜室と、前記特定低温室及び前記製氷室と前記野菜室とを仕切る仕切り壁と、前記冷蔵室奥面に設置した第１の冷却器と、前記野菜室及び前記製氷室及び前記特定低温室の奥に設置した第２の冷却器と、前記特定低温室から前記仕切り壁を貫通し前記野菜室の天面に設置された冷却板とを備え、前記第１の冷却器で前記冷蔵室を冷却し、前記第２の冷却器で前記製氷室と前記特定低温室と前記冷凍室とを冷却し、前記冷却板で前記野菜室を冷却するようにしたことを特徴とする冷蔵庫。
【請求項３】
冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記切替室及び前記製氷室と前記野菜室とを仕切る仕切り壁と、前記冷蔵室奥面に設置した第１の冷却器と、前記野菜室及び前記製氷室及び前記切替室の奥に設置した第２の冷却器と、前記切替室から前記仕切り壁を貫通し前記野菜室の天面に設置された冷却板とを備え、前記第１の冷却器で前記冷蔵室を冷却し、前記第２の冷却器で前記製氷室と前記切替室と前記冷凍室とを冷却し、前記冷却板で前記野菜室を冷却するようにしたことを特徴とする冷蔵庫。
【請求項４】
前記野菜室に設置された前記冷却板が前記野菜室の奥面に設置したことを特徴とした請求項１から３のいずれか一項に記載の冷蔵庫。
【請求項５】
冷却板が前記製氷室から前記仕切り壁を貫通し前記野菜室に設置されたことを特徴とした請求項１から３のいずれか一項に記載の冷蔵庫。
【請求項６】
前記製氷室の扉を回転式機構としたことを特徴とした請求項１から５のいずれか一項に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が発売されている（例えば、特許文献１参照）。
【０００３】
図４は、特許文献１に記載された従来の冷蔵庫を示すものである。図４に示すように冷蔵庫本体１０１と、この本体の上部に設けられた冷蔵室１０２と、冷蔵室の下に設けられた切替室１０３と、冷蔵室の下で切替室に並列に設けられた製氷室１０４と、本体下部設けられた冷凍室１０５と、並列に設置された切替室及び製氷室と冷凍室の間に設けられた野菜室１０６と、冷気を生成する冷却器１０７と、冷気を各室に供給するファン装置１０８とを有し、冷凍室に冷気を供給するための冷凍室用送風路１０９と、製氷室に冷気を供給するための製氷用送風路１１０と、製氷室から冷気を冷却室に戻す製氷室用帰還風路１１１と、製氷室用送風路を通る冷気の一部を分流させて、切替室に送る切替室用送風路１１２と、切替室から冷気を冷却器に戻すための切替室用帰還風路１１３と、切替室用送風路を通る冷気の一部を分流させて、冷蔵室に送る冷蔵室用送風路１１４と、冷蔵室に送られた冷気を野菜室に戻すための冷蔵室用帰還風路１１５と、野菜室に送ら冷気を冷却器に戻すための野菜室用帰還風路１１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却を負担せねばならず、特に設定温度の高い冷蔵室と野菜室に囲まれた製氷室は冷却能力の確保が困難であり、更に夏場において冷蔵室の扉開閉回数が増えた場合、大量の霜が冷却器に付着することにより冷却器の能力が大幅にダウンし、製氷スピードが落ちるという課題を有していた。また、野菜室に直接、冷気を送風するため保存食品が乾燥しやすいという課題を有していた。
【０００５】
本発明は、上記従来の課題を解決するもので、冷蔵室のドア開閉回数が増加する夏場においても、製氷スピードを確保するとともに、野菜室の保鮮性を高める冷蔵庫を提供することを目的とする。
【課題を解決するための手段】
【０００６】
上記従来の課題を解決するために、本発明の冷蔵庫は、冷蔵庫本体の上部に冷蔵食品等を貯蔵する冷蔵室と、冷蔵室の下部に設けられた第１の冷凍室と、冷蔵室の下部で第１の冷凍室に並列配置された製氷及び氷の貯蔵を行う製氷室と、冷蔵庫本体下部に設けられた第２の冷凍室と、製氷室及び第１の冷凍室と第２の冷凍室との間に設けられた野菜類を貯蔵する野菜室と、第１の冷凍室及び製氷室と野菜室とを仕切る仕切り壁と、冷蔵室奥面に設置した第１の冷却器と、野菜室及び製氷室及び第１の冷凍室の奥に設置した第２の冷却器と、第１の冷凍室から仕切り壁を貫通し野菜室の天面に設置された冷却板とを備えたものである。
【０００７】
これによって、第１の冷却器で冷蔵室のみを冷却し、第２の冷却器で製氷室と第１の冷凍室と第２の冷凍室とを冷却し、冷却板で野菜室を冷却することができる。
【０００８】
また本発明の冷蔵庫は、冷蔵庫本体の上部に冷蔵食品等を貯蔵する冷蔵室と、冷蔵室の下部に設けられた肉や魚を貯蔵する特定低温室と、冷蔵室の下部で特定低温室に並列配置された製氷及び氷の貯蔵を行う製氷室と、冷蔵庫本体下部に設けられた冷凍室と、製氷室及び特定低温室と冷凍室との間に設けられた野菜類を貯蔵する野菜室と、特定低温室及び製氷室と野菜室とを仕切る仕切り壁と、冷蔵室奥面に設置した第１の冷却器と、野菜室及び製氷室及び特定低温室の奥に設置した第２の冷却器と、特定低温室から仕切り壁を貫通し野菜室の天面に設置された冷却板とを備えたものである。
【０００９】
これによって、第１の冷却器で冷蔵室のみを冷却し、第２の冷却器で製氷室と特定低温室と冷凍室とを冷却し、冷却板で野菜室を冷却することができ、かつ特定低温室を設置したことにより肉、魚の最適保存ができる。
【００１０】
また本発明の冷蔵庫は、冷蔵庫本体の上部に冷蔵食品等を貯蔵する冷蔵室と、冷蔵室の下部に設けられた冷凍から冷蔵までの温度範囲で切替え可能な切替室と、冷蔵室の下部で切替室に並列配置された製氷及び氷の貯蔵を行う製氷室と、冷蔵庫本体下部に設けられた冷凍室と、製氷室及び切替室と冷凍室との間に設けられた野菜類を貯蔵する野菜室と、切替室及び製氷室と野菜室とを仕切る仕切り壁と、冷蔵室奥面に設置した第１の冷却器と、野菜室及び製氷室及び切替室の奥に設置した第２の冷却器と、切替室から仕切り壁を貫通し野菜室の天面に設置された冷却板とを備えたものである。
【００１１】
これによって、第１の冷却器で冷蔵室のみを冷却し、第２の冷却器で製氷室と切替室と冷凍室とを冷却し、冷却板で野菜室を冷却することができ、かつ切替室を設けたことにより、使い勝手を向上させることができる。
【発明の効果】
【００１２】
本発明の冷蔵庫は、第１の冷却器で冷蔵室のみを冷却し、第２の冷却器で製氷室と第１の冷凍室と第２の冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができるとともに、野菜室の保鮮性を高めることができる。
【００１３】
また本発明の冷蔵庫は、第１の冷却器で冷蔵室のみを冷却し、第２の冷却器で製氷室と特定低温室と冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができるとともに、野菜室の保鮮性を高めることができる。また、特定低温室を設置したことにより肉、魚の最適保存ができる。
【００１４】
また本発明の冷蔵庫は、第１の冷却器で冷蔵室のみを冷却し、第２の冷却器で製氷室と切替室と冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができるとともに、野菜室の保鮮性を高めることができる。また、切替室を設けたことにより、使い勝手を向上させることができる。
【発明を実施するための最良の形態】
【００１５】
請求項１に記載の発明は、冷蔵庫本体の上部に冷蔵食品等を貯蔵する冷蔵室と、冷蔵室の下部に設けられた第１の冷凍室と、冷蔵室の下部で第１の冷凍室に並列配置された製氷及び氷の貯蔵を行う製氷室と、冷蔵庫本体下部に設けられた第２の冷凍室と、製氷室及び第１の冷凍室と第２の冷凍室との間に設けられた野菜類を貯蔵する野菜室と、第１の冷凍室及び製氷室と野菜室とを仕切る仕切り壁と、冷蔵室奥面に設置した第１の冷却器と、野菜室及び製氷室及び第１の冷凍室の奥に設置した第２の冷却器と、第１の冷凍室から仕切り壁を貫通し野菜室の天面に設置された冷却板とを備えたものであり、第１の冷却器で冷蔵室を冷却し、第２の冷却器で製氷室と第１の冷凍室と第２の冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができるとともに、野菜室の保鮮性を高めることができる。
【００１６】
請求項２に記載の発明は、冷蔵庫本体の上部に冷蔵食品等を貯蔵する冷蔵室と、冷蔵室の下部に設けられた肉や魚を貯蔵する特定低温室と、冷蔵室の下部で特定低温室に並列配置された製氷及び氷の貯蔵を行う製氷室と、冷蔵庫本体下部に設けられた冷凍室と、製氷室及び特定低温室と冷凍室との間に設けられた野菜類を貯蔵する野菜室と、特定低温室及び製氷室と野菜室とを仕切る仕切り壁と、冷蔵室奥面に設置した第１の冷却器と、野菜室及び製氷室及び特定低温室の奥に設置した第２の冷却器と、特定低温室から仕切り壁を貫通し野菜室の天面に設置された冷却板とを備えたものであり、第１の冷却器で冷蔵室を冷却し、第２の冷却器で製氷室と特定低温室と冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができるとともに、野菜室の保鮮性を高めることができる。また、特定低温室を設置したことにより肉、魚の最適保存ができる。
【００１７】
請求項３に記載の発明は、冷蔵庫本体の上部に冷蔵食品等を貯蔵する冷蔵室と、冷蔵室の下部に設けられた冷凍から冷蔵までの温度範囲で切替え可能な切替室と、冷蔵室の下部で切替室に並列配置された製氷及び氷の貯蔵を行う製氷室と、冷蔵庫本体下部に設けられた冷凍室と、製氷室及び切替室と冷凍室との間に設けられた野菜類を貯蔵する野菜室と、切替室及び製氷室と野菜室とを仕切る仕切り壁と、冷蔵室奥面に設置した第１の冷却器と、野菜室及び製氷室及び切替室の奥に設置した第２の冷却器と、切替室から仕切り壁を貫通し野菜室の天面に設置された冷却板とを備えたものであり、第１の冷却器で冷蔵室を冷却し、第２の冷却器で製氷室と切替室と冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができるとともに、野菜室の保鮮性を高めることができる。また、切替室を設けたことにより、使い勝手を向上させることができる。
【００１８】
請求項４に記載の発明は、請求項１から３のいずれか一項に記載の発明において、野菜室に設置した冷却板を野菜室の奥面に設置したものであり、さらに野菜室の冷却能力を高めることができ、野菜の鮮度を高めることができる。
【００１９】
請求項５に記載の発明は、請求項１から３のいずれか一項に記載の発明において、冷却板が製氷室から仕切り壁を貫通し、野菜室に設置されたものであり、さらに野菜室の冷却能力を安定させることができ、野菜の鮮度を高めることができる。
【００２０】
請求項６に記載の発明は、請求項１から５のいずれか一項に記載の発明において、製氷室の扉を回転式機構としたものであり、製氷室の氷が取り出しやすくすることができ、さらに使い勝手を向上させることができる。
【００２１】
以下、本発明の実施の形態について、図面を参照しながら説明する。なお、この実施の形態によってこの発明が限定されるものではない。
【００２２】
（実施の形態１）
図１は、本発明の実施の形態１による冷蔵庫の正面図である。図２は、本発明の実施の形態１による冷蔵庫の風路図である。図３は本発明の実施の形態１における断面図である。
【００２３】
図１において１は冷蔵庫本体であり、最上部に冷蔵室２と、冷蔵室２の下部に設けられた切替室３と、冷蔵室２の下部に設けられ切替室３に並列配置された製氷及び氷の貯蔵を行う製氷室４と、冷蔵庫本体１の下部に設けられた冷凍室５と、製氷室４及び切替室３と冷凍室５との間に設けられた、野菜類を貯蔵する野菜室６を有する。
【００２４】
図２、３において、１７は第１の冷却器であり冷蔵室奥面に設置される。１８は冷蔵室冷却用ダクトであり、第１の冷却器１７と冷蔵室２を仕切り、第１の冷却器１７によって冷却された冷気を冷蔵室２に導くための冷蔵室用吐出風路１８ａと冷蔵室２を冷却した冷気を第一の冷却器１７に戻すための冷蔵室用帰還風路１８ｂを有する。１９は冷蔵室用冷却ファン装置であり、第１の冷却器１７で発生した冷気を冷蔵室２内部に循環させる。２０は、第２の冷却器であり、野菜室６及び製氷室４及び切替室３の奥に設置され、製氷室４及び切替室３及び冷凍室５を冷却する。２１は仕切り壁であり、製氷室４及び切替室３と野菜室６とを仕切る。２２は冷凍室用ダクトであり、第２の冷却器２０で冷却された冷気を製氷室４及び切替室３及び冷凍室５へと導く冷凍系吐出風路２２ａと冷凍系帰還風路２２ｂを内蔵しており、第２の冷却器２０の前に設置される。２３は冷凍室用冷却ファン装置であり、第２の冷却器２０で発生した冷気を循環させる。２４は冷却板であり、切替室３の底面から仕切り壁２１を貫通し野菜室６の天面に設置されている。
【００２５】
また、製氷室４の扉は、上部回転支持部２５と下部回転支持部２６を備えた回転式機構としている。
【００２６】
このような構成において作用を説明する。第１の冷却器１７によって発生した冷気は冷蔵室用ダクト１８の冷蔵室用吐出風路１８ａに導かれ冷蔵室２に供給される。冷蔵室２を冷却した冷気は冷蔵室用ダクト１８の冷蔵室用帰還風路１８ｂに導かれ第１の冷却器１７に帰還し、冷蔵室２を所定の温度に冷却する。
【００２７】
また第２の冷却器２０によって発生した冷気は冷凍室用ダクト２２の冷凍系吐出風路２２ａに導かれ製氷室４及び切替室３及び冷凍室５に供給され、各部屋を冷却した後に冷凍室用ダクト２２の冷凍系帰還風路２２ｂに導かれ第２の冷却器２０に帰還し、各貯蔵室は所定の温度に冷却される。また、冷却板２４は切替室３が冷却されるのと同様に冷却され、熱伝導によって野菜室６を天面から冷却する。
【００２８】
以上のように本実施の形態においては、最上部に冷蔵室２と、冷蔵室２との下方に切替室３と、並列配置された製氷及び氷の貯蔵を行う製氷室４と、本体下部に設けられた冷凍室５と、並列配置した製氷室４及び切替室３と冷凍室５の間に設けられた野菜類を貯蔵する野菜室６とを有し、冷蔵室２の背面に第１の冷却器１７を、野菜室６及び製氷室４及び切替室３の奥に第２の冷却器２０を設置したものにおいて、第１の冷却器１７で冷蔵室２のみを冷却し、第２の冷却器２０で製氷室４、切替室３、冷凍室５を冷却し、冷却板２４で野菜室６を冷却するようにしたことにより、夏場において冷蔵室２のドア開閉回数が増えて冷蔵室２に暖湿気が流入しても、製氷室４を冷却する第２の冷却器２０には霜が付かずに製氷スピードを確保することができるとともに、野菜室の保鮮性を高めることができる。
【００２９】
また、冷却板２４を、さらに野菜室６の奥面まで延出して設置してもよい。この場合、さらに野菜室６の冷却能力を高めることができ、野菜の鮮度を高めることができる。
【００３０】
また、冷却板２４を、さらに製氷室４から仕切り壁２１を貫通し、野菜室６に設置してもよい。この場合、さらに野菜室６の冷却能力を高めることができ、野菜の鮮度を高めることができる。
【００３１】
なお、本実施の形態では、製氷室４に並列配置した貯蔵室を、冷凍からチルド、冷蔵温度まで切替え可能な切替室３として説明したが、製氷室４に並列配置した貯蔵室を冷凍室としてもよい。この場合、貯蔵室温度制御のための部材が不要となり、コスト低減を図ることができるとともに、夏場に冷蔵室２のドア開閉が増え冷蔵室２に暖湿気が流入しても製氷室４を冷却する第２の冷却器２０は影響を受けず製氷室４の冷却能力を確保することができるとともに、野菜室の保鮮性を高めることができる。
【００３２】
また、製氷室４に並列配置した貯蔵室を肉や魚を貯蔵する０℃から−３℃程度の特定低温室としてもよい。この場合、肉、魚を新鮮に保存でき、貯蔵室を過度に冷却する必要がなく省エネを図れるとともに、夏場に冷蔵室２のドア開閉が増え冷蔵室２に暖湿気が流入しても製氷室４を冷却する第２の冷却器２０は影響を受けず製氷室４の冷却能力を確保することができるとともに、野菜室の保鮮性を高めることができる。また、特定低温室を設置したことにより肉、魚の最適保存ができる。
【００３３】
なお、本実施の形態では、製氷室４の回転式扉を上下で支持する機構のもので説明したが、左右で支持する機構のものとしてもよい。この場合、開放時の扉が平面を構成することで使い勝手を向上することができる。
【産業上の利用可能性】
【００３４】
以上のように、本発明にかかる冷蔵庫は、第１の冷却器で冷蔵室のみを冷却し、第２の冷却器で製氷室、切替室、冷凍室を冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することが可能となるので、冷却貯蔵庫等の用途にも適用できる。
【図面の簡単な説明】
【００３５】
【図１】本発明による冷蔵庫の実施の形態１を説明する冷蔵庫正面図
【図２】本発明による冷蔵庫の実施の形態１を説明する冷蔵庫風路正面図
【図３】本発明による冷蔵庫の実施の形態１を説明する冷蔵庫断面図
【図４】従来の冷蔵庫の冷蔵庫風路正面図
【符号の説明】
【００３６】
１    冷蔵庫本体
２    冷蔵室
３    切替室
４    製氷室
５    冷凍室
６    野菜室
１７  第１の冷却器
２０  第２の冷却器
２１  仕切り壁
２４  冷却板
【図１】
2006010167.tif 000003
【図２】
2006010167.tif 000004
【図３】
2006010167.tif 000005
【図４】
2006010167.tif 000006